(57)【特許請求の範囲】
【請求項１】
上部開口の周縁にフランジが突設された試料容器を支持するクランプ部と、該クランプ部を支持する支持部とを備えた試料容器支持装置において、
前記支持部は、鉛直方向に配置されるヒンジ軸と、該ヒンジ軸の軸線を中心として回動可能かつ上下動可能に保持するとともに、前記ヒンジ軸の回動及び上下動を規制してヒンジ軸を固定する固定手段を備えたヒンジ軸保持部材を有する水平方向の支持棒部材を備え、
前記クランプ部は、帯状金属板を折曲成形した一対のクランク腕を有し、
一方のクランク腕の基端部は、前記ヒンジ軸の下端部に固着され、他方のクランク腕の基端部は、前記ヒンジ軸の下端部に回動可能に装着されることにより、両クランク腕が同一高さで水平方向に開閉可能に形成され、
両クランク腕の基部には、両クランク腕を開方向に付勢する付勢手段と、両クランク腕を閉方向に作動させる締付手段とが設けられ、
両クランク腕は、両クランク腕で試料容器の外周面を抱持したときに、試料容器の外周面に外接する多角形状となり、該多角形状の複数の辺に相当する部分のクランク腕の上縁部には、外方に向けて水平方向に延出するフランジ受片がそれぞれ形成され、クランク腕の先端部を除く前記多角形状の複数の頂点に相当する部分には、帯状金属板を弾性変形可能に屈曲した屈曲部がそれぞれ形成されている
ことを特徴とする試料容器支持装置。
【請求項２】
前記多角形状が正方形状であることを特徴とする請求項１記載の試料容器支持装置。
【請求項３】
前記固定手段は、前記支持棒部材の先端に装着され前記支持棒部材よりも大径の大径部材を有し、
前記大径部材は、前記支持棒部材の軸線に直交して貫通形成された軸装着孔と、該軸装着孔に対して直交方向に形成され、前記大径部材の外面と前記軸装着孔に開口するねじ孔とを備えており、
前記ヒンジ軸保持部材は、前記ねじ孔に螺合するねじ部材を有している
ことを特徴とする請求項１又は２記載の試料容器支持装置。
【発明の詳細な説明】
【技術分野】
【０００１】
本発明は、試料容器支持装置に関し、詳しくは、上部開口の周縁にフランジが突設された実験用の反応容器などの各種試料容器を把持して任意の位置に固定する試料容器支持装置に関する。
【背景技術】
【０００２】
従来、反応容器、ビーカー、フラスコなどの試料容器を把持して任意の位置に固定する試料容器支持装置では、試料容器の首部を挟んで把持するクランプ部を、支持棒を介してスタンドに保持させるものがあり、スタンドの支柱に第１固定ボルトを介して上下動可能、且つ、回動可能にホルダーを取り付け、該ホルダーに、クランプ部を先端に装着した支持棒の基端側を、第２固定ボルトを介して前後方向に移動可能に連結し、第１固定ボルトと第２固定ボルトとを操作することにより、試料容器の固定位置を調整していた（例えば、特許文献１参照。）。
【先行技術文献】
【特許文献】
【０００３】
【特許文献１】特開２００１−２０５１１２号公報
【発明の概要】
【発明が解決しようとする課題】
【０００４】
しかし、上述の特許文献１のものは、試料容器の位置から離れたスタンドの支柱の位置で、第１固定ボルトと第２固定ボルトとを操作して支持棒の位置や向きを調整することによって、試料容器を所定の位置に配置させて固定させることから、位置の調整に手間が掛かっていた。また、第１固定ボルトと第２固定ボルトとは、支柱の異なる方向に突出しており、スペースの狭い実験現場では、スタンドを配置する位置に制約があった。さらに、上述のクランプ部は、一旦クランプ部を開いて試料容器をクランプ部間に挿入した後、再びクランプ部を閉じて試料容器の首部を挟んで試料容器を把持するものであり、試料容器の把持に手間が掛かっていた。また、クランプ部は、所定の把持力で試料容器の首部を挟んで保持することから、試料容器の損傷を防止するために把持面に樹脂やゴム等の柔軟材が貼着されており、高温下での使用には適さなかった。
【０００５】
そこで本発明は、試料容器を保持するクランプ部の近くで、試料容器の位置調整を容易に行うことができるとともに、試料容器をクランプ部に簡単に把持でき、高温下での使用も可能となる試料容器支持装置を提供することを目的としている。
【課題を解決するための手段】
【０００６】
上記目的を達成するため、本発明の試料容器支持装置は、上部開口の周縁にフランジが突設された試料容器を支持するクランプ部と、該クランプ部を支持する支持部とを備えた試料容器支持装置において、前記支持部は、鉛直方向に配置されるヒンジ軸を、該ヒンジ軸の軸線を中心として回動可能かつ上下動可能に保持するとともに、前記ヒンジ軸の回動及び上下動を規制してヒンジ軸を固定する固定手段を備えたヒンジ軸保持部材を有する水平方向の支持棒部材を備え、前記クランプ部は、帯状金属板を折曲成形した一対のクランク腕を有し、一方のクランク腕の基端部は、前記ヒンジ軸の下端部に固着され、他方のクランク腕の基端部は、前記ヒンジ軸の下端部に回動可能に装着されることにより、両クランク腕が同一高さで水平方向に開閉可能に形成され、両クランク腕の基部には、両クランク腕を開方向に付勢する付勢手段と、両クランク腕を閉方向に作動させる締付手段とが設けられ、両クランク腕は、両クランク腕で試料容器の外周面を抱持したときに、試料容器の外周面に外接する多角形状となり、該多角形状の複数の辺に相当する部分のクランク腕の上縁部には、外方に向けて水平方向に延出するフランジ受片がそれぞれ形成され、クランク腕の先端部を除く前記多角形状の複数の頂点に相当する部分には、帯状金属板を弾性変形可能に屈曲した屈曲部がそれぞれ形成されていることを特徴とし、また、前記多角形状が正方形状であると好ましい。
【発明の効果】
【０００７】
本発明の試料容器支持装置によれば、試料容器の近傍に配置されるヒンジ軸保持部材によって、クランプ部を取り付けたヒンジ軸の回動及び上下動を調節できることから、クランプ部に把持された試料容器に近い位置で、試料容器が固定される位置を容易に調整することができる。また、ヒンジ軸保持部材を支持棒部材の先端側に設けることができることから、支持棒部材の基端部側を、例えばスタンドに支持させる際には、スタンド回りをコンパクトにすることができ、スタンドをスペースの狭い場所にも配置することができる。
【０００８】
また、試料容器は、一対のクランク腕の先端部から屈曲部を弾性変形させながら双方のクランク腕の内側に挿入するか、或いは、一対のクランク腕の上方から双方のクランク腕の内側に挿入することができ、締付手段により双方のクランク腕の開度を調整することにより、試料容器を簡単、且つ、確実にクランク腕で把持させることができる。また、フランジ片で試料容器のフランジ部を受けて試料容器を保持することができ、クランク腕に強い把持力が要求されないので、クランク腕を一枚の帯状金属板で形成し、コストの低減化を図ることができるとともに、把持面に樹脂やゴム等の柔軟材を貼着する必要がないことから高温下での使用が可能になる。
【図面の簡単な説明】
【０００９】
【図１】本発明の一形態例を示す試料容器支持装置の要部断面側面図である。
【図２】同じく試料容器支持装置の要部断面平面図である。
【図３】同じく試料容器支持装置と反応容器の説明図である。
【図４】同じく試料容器支持装置の平面図である。
【図５】同じく試料容器支持装置の斜視図である。
【図６】同じく反応容器を把持した状態の試料容器支持装置の斜視図である。
【図７】同じく試料容器支持装置に支持された反応容器を恒温水槽に配置した状態の説明図である。
【発明を実施するための形態】
【００１０】
図１乃至図７は本発明の一形態例を示すもので、本形態例の試料容器支持装置１１は、例えば、試料を収容したボトル状の反応容器３１（本発明の試料容器）を恒温水槽４１に配置して固定する際に用いられるもので、反応容器３１を把持するクランプ部１２と、該クランプ部１２を恒温水槽４１内に配置して所定の位置に固定する支持部１３とを備えている。
【００１１】
支持部１３は、鉛直方向に配置されるヒンジ軸１４と、ヒンジ軸１４を回動可能、且つ、上下動可能に保持する水平方向の支持棒部材１５と、ヒンジ軸１４の回動及び上下動を規制してヒンジ軸１４を所定の位置で固定するヒンジ軸保持部材１６とを備えている。
【００１２】
支持棒部材１５は先端部に大径部材１７が装着されており、該支持棒部材１５の軸線と直交する軸装着孔１８が上下方向に貫通形成され、該軸装着孔１８にヒンジ軸１４が、該ヒンジ軸１４の軸線を中心として回動可能、且つ、上下動可能に挿通される。大径部材１７には、大径部材１７の外面と軸装着孔１８とに開口するとともに、該軸装着孔１８対して直交方向に形成される雌ねじ孔１９が形成され、該雌ねじ孔１９にヒンジ軸保持部材１６が螺合される。
【００１３】
ヒンジ軸１４は軸装着孔１８の内径よりも小径に形成され、上端部には、軸装着孔１８よりも大径の抜止めクリップ２０が嵌着され、下端部に、前記クランプ部１２が連結される。ヒンジ軸保持部材１６は、雌ねじ孔１９に螺合する雄ねじ部材１６ａと、該雄ねじ部材１６ａの外端部に設けられ、雄ねじ部材１６ａを回転させる駒部材１６ｂとを備え、雄ねじ部材１６ａの先端は前記軸装着孔１８内に突出している。
【００１４】
クランプ部１２は、帯状金属板を折曲成形した第１クランク腕２１と第２クランク腕２２とを有し、第１クランク腕２１は、基端部に設けられた第１取付部２１ａと、第１取付部２１ａに連続して形成された第１突出片２１ｂと、第１突出片２１ｂから突出し、反応容器３１を把持する第１クランク部２１ｃとを備えている。第１取付部２１ａは、第１クランク腕２１の基端部をＬ字状に折曲して形成され、この第１取付部２１ａをヒンジ軸１４の周壁にビス２３で取り付けることにより、第１クランク腕２１がヒンジ軸１４に固着される。
【００１５】
第２クランク腕２２は、基端部に設けられる第２取付部２２ａと、第２取付部２２ａに連続して形成される第２突出片２２ｂと、第２突出片２２ｂから突出し、反応容器３１を把持する第２クランク部２２ｃとを備えている。第２取付部２２ａは、第１取付部２１ａの上面と下面とを覆うとともに、ヒンジ軸１４に回動可能に挿通される軸挿通孔２２ｄをそれぞれ備えた一対のヒンジ軸挿通片２２ｅ，２２ｅと、該ヒンジ軸挿通片２２ｅ，２２ｅをヒンジ軸１４の他側部側周壁の外側で連結する連結片２２ｆとを備え、軸挿通孔２２ｄ，２２ｄにヒンジ軸１４を挿通させることにより、第２クランク腕２２がヒンジ軸１４に対して回動可能に連結される。これにより、第１クランク腕２１と第２クランク腕２２とが同一高さで水平方向に開閉可能に配置される。また、連結片２２ｆを前方に延出させて第２突出片２２ｂが形成され、第１突出片２１ｂと第２突出片２２ｂとは、ヒンジ軸１４を挟んで略平行に配置される。
【００１６】
第１突出片２１ｂと第２突出片２２ｂとの間には、第２突出片２２ｂに基端部が取り付けられ、先端部を第１突出片２１ｂから外方に突出し、ヒンジ軸１４に直交する雄ねじ部材２４が設けられる。第１突出片２１ｂと第２突出片２２ｂとの間に配置された雄ねじ部材２４には、双方のクランク腕２１，２２を開方向に付勢するコイルスプリング２５（本発明の付勢手段）が設けられ、第１突出片２１ｂから突出した雄ねじ部材２４の先端部には、雄ねじ部材２４に螺合して双方のクランク腕２１，２２を閉方向に作動させる雌ねじ駒２６（本発明の締付手段）が設けられている。
【００１７】
第１クランク部２１ｃと第２クランク部２２ｃとは、第１突出片２１ｂと第２突出片２２ｂの先端部から、水平方向に延出するとともに、対向するく字状にそれぞれ折曲され、反応容器３１を抱持したときに、双方のクランク部２１ｃ，２２ｃは反応容器３１の外周面に外接する正方形状となり、正方形の辺に相当する第１クランク部２１ｃ側の第１把持片２１ｄ，２１ｄと、第２クランク部２２ｃ側の第２把持片２２ｇ，２２ｇの上縁部には、外方に向けて水平方向に延出する第１フランジ片２１ｅ，２１ｅと第２フランジ片２２ｈ，２２ｈとがそれぞれ屈曲形成され、反応容器３１との当接部が曲面となっている。また、第１クランク部２１ｃと第２クランク部２２ｃの先端部間には空間部Ｅ１が形成されるとともに、正方形の頂点に相当する部分には、帯状金属板を弾性変形可能に屈曲させた屈曲部２１ｆ，２２ｉがそれぞれ形成されている。
【００１８】
上述のように形成された試料容器支持装置１１で反応容器３１を把持して、反応容器３１を恒温水槽４１内に配置して固定する際には、図３に示されるように、まず、第１クランク部２１ｃと第２クランク部２２ｃの先端部間に設けられた空間部Ｅ１から、屈曲部２１ｆ，２２ｉを弾性変形させながら、反応容器３１の首部を第１クランク部２１ｃと第２クランク部２２ｃの内側に挿入し、反応容器３１の上部開口外周に設けられたフランジ部３１ａを各フランジ片２１ｅ，２２ｈに載置させる。次いで、雌ねじ駒２６を回動させることにより第１クランク腕２１と第２クランク腕２２の開度を調整し、反応容器３１の首部を第１クランク部２１ｃと第２クランク部２２ｃとで把持させる。
【００１９】
一方、恒温水槽４１の近くに配置したスタンドに支持棒部材１５を取り付け、反応容器３１を恒温水槽４１内に配置した後、ヒンジ軸保持部材１６の駒部材１６ｂを緩めて、ヒンジ軸１４を軸装着孔１８内で自由状態とし、ヒンジ軸１４の上下方向の位置と、ヒンジ軸１４の軸線を中心とした回動量とを調整し、反応容器３１の恒温水槽４１内での位置を調整し、所定の位置に配置した状態で駒部材１６ｂを締めてヒンジ軸１４を固定して反応容器３１を固定する。
【００２０】
本形態例の試料容器支持装置１１は上述のように形成されていることにより、反応容器３１の近傍に配置されるヒンジ軸保持部材１６によって、ヒンジ軸１４の上下方向の位置やヒンジ軸１４の軸線を中心とした回動量を調整できることから、クランプ部１２に把持された反応容器３１に近い位置で、反応容器３１が固定される位置を容易に調整することができる。また、ヒンジ軸保持部材１６が支持棒部材１５の先端側に設けられているので、支持棒部材１５を支持させるスタンド回りをコンパクトにすることができ、スタンドをスペースの狭い場所にも配置することができる。
【００２１】
さらに、反応容器３１は、双方のクランク部２１ｃ，２２ｃの先端部間に形成された空間部Ｅ１から屈曲部２１ｆ，２２ｉを弾性変形させながら、第１クランク部２１ｃと第２クランク部２２ｃの内側に挿入でき、或いは、双方のクランク部２１ｃ，２２ｃの上方から双方のクランク部２１ｃ，２２ｃの内側に挿入できることから、反応容器３１を容易に双方のクランク部２１ｃ，２２ｃの内側に挿入でき、各フランジ片２１ｅ，２２ｈで反応容器３１のフランジ部３１ａを受けた状態で、雌ねじ駒２６を回動させることにより、反応容器３１の首部を双方のクランク部２１ｃ，２２ｃで簡単、且つ、確実に把持させることができる。
【００２２】
また、各フランジ片２１ｅ，２２ｈで反応容器３１のフランジ部３１ａを受けて反応容器３１を保持できるので、双方のクランク部２１ｃ，２２ｃに強い把持力が要求されないことから、一枚の帯状金属板で形成した双方のクランク腕２１，２２で反応容器３１を確実に把持することができ、コストの低減化を図ることができるとともに、把持面に樹脂やゴム等の柔軟材を貼着する必要がないことから高温下での使用が可能になる。
【００２３】
さらに、支持部材１３は、鉛直方向に配置されるヒンジ軸１４と水平方向の支持棒部材１５とによりＬ字状に形成されていることから、ヒンジ軸１４の位置を調節することにより、深い恒温水槽４１内に反応容器３１を良好に配置させることができるとともに、恒温水槽４１内の熱媒体の量を少なくすることができる。
【００２４】
なお、本発明の試料容器支持装置１１は、上述の形態例のように、反応容器を固定するものに限らず、フラスコやビーカー等、各種試料容器の支持装置として用いることができる。また、クランク部は、両クランク部で試料容器の外周面を包持したときに、正方形状になるものに限らず、六角形状や八角形状等の多角形状でもよく、円形に近い形状でも良い。さらに、支持棒部材は、基端部をスタンドに支持させるものに限らず、基端部を、恒温水槽等の実験機械の本体に取り付けてもよく、基端部側の構造は任意である。
【符号の説明】
【００２５】
１１…試料容器支持装置、１２…クランプ部、１３…支持部材、１４…ヒンジ軸、１５…支持棒部材、１６…ヒンジ軸保持部材、１６ａ…雄ねじ部材、１６ｂ…駒部材、１７…大径部材、１８…軸装着孔、１９…雌ねじ孔、２０…抜止めクリップ、２１…第１クランク腕、２１ａ…第１取付部、２１ｂ…第１突出片、２１ｃ…第１クランク部、２１ｄ…第１把持片、２１ｅ…第１フランジ片、２１ｆ…屈曲部、２２…第２クランク腕、２２ａ…第２取付部、２２ｂ…第２突出片、２２ｃ…第２クランク部、２２ｄ…軸挿通孔、２２ｅ…ヒンジ挿通片、２２ｆ…連結片、２２ｇ…第２把持片、２２ｈ…第２フランジ片、２２ｉ…屈曲部、２３…ビス、２４…雄ねじ部材、２５…コイルスプリング、２６…雌ねじ駒、３１…反応容器、３１ａ…フランジ部、４１…恒温水槽 
【図１】
0006534517.tif 000002
【図２】
0006534517.tif 000003
【図３】
0006534517.tif 000004
【図４】
0006534517.tif 000005
【図５】
0006534517.tif 000006
【図６】
0006534517.tif 000007
【図７】
0006534517.tif 000008